(57)【要約】【課題】色文字をモノクロに変換した際に生じる、中間調処理による文字の可読性低下を改善した画像処理装置を提供する。【解決手段】この画像処理部１９は、ビデオ信号をデジタル変換するアナログビデオ処理部２１と、その信号のシェーディング補正を行うシェーディング補正処理部２２と、各種の画像データ処理を行う画像データ処理部２３と、データを２値化する２値化処理部２４とを備えて構成される。【選択図】      図５
2004266574.tif 000002
【特許請求の範囲】
【請求項１】
複数の成分からなる多階調のカラー画像データを、単一の成分からなるモノクロ画像データに変換するカラーモノクロ変換手段を有する画像処理装置において、
前記カラーモノクロ変換手段は、ＲＧＢによる３ラインを有するカラー撮像素子の各ライン間の補正を行うライン間補正処理部と、ルックアップテーブルを使用して前記各ラインをγ変換するγ変換処理部と、ＭＴＦ補正及びエッジ強調のフィルタ演算を行うフィルタ処理部と、カラー画像データをモノクロに変換する色変換処理部と、所定の条件式から判定される検出結果に従って指定の特徴を持つ画素を検出する指定画素検出手段と、該指定画素検出手段の結果に基づいて、前記色変換処理部によりモノクロに変換後の画素濃度データを切り替えるデータ切替手段とを備えたことを特徴とする画像処理装置。
【請求項２】
複数の成分からなる多階調のカラー画像データを、単一の成分からなるモノクロ画像データに変換するカラーモノクロ変換手段を有する画像処理装置において、
前記カラーモノクロ変換手段は、ＲＧＢによる３ラインを有するカラー撮像素子の各ライン間の補正を行うライン間補正処理部と、ルックアップテーブルを使用して前記各ラインをγ変換するγ変換処理部と、ＭＴＦ補正及びエッジ強調のフィルタ演算を行うフィルタ処理部と、カラー画像データをモノクロに変換する色変換処理部と、所定の条件式から判定される検出結果に従って指定の特徴を持つ画素を検出する指定画素検出手段と、該指定画素検出手段の結果に基づいて、前記色変換処理部によりモノクロに変換後の画素濃度データを切り替えるデータ切替手段と、前記色変換処理部の出力データをγ変換するγ変換手段とを備えたことを特徴とする画像処理装置。
【請求項３】
前記色変換処理部は、前記フィルタ処理部から出力されるＲＧＢの３成分からモノクロデータを得る場合、該モノクロデータの値をＹとすると、Ｙ＝（２Ｒ＋５Ｇ＋Ｂ）／８の演算式により得られた値によりモノクロデータを決定することを特徴とする請求項１又は２に記載の画像処理装置。
【請求項４】
前記指定画素検出手段は、前記フィルタ処理部から出力されるＲＧＢの３成分からの値が、前記所定の条件式を満足する場合は前記黒データを出力し、前記所定の条件式を満足しない場合は前記Ｙの演算式で得られる値を出力することを特徴とする請求項１又は３に記載の画像処理装置。
【請求項５】
前記指定画素検出手段は、前記フィルタ処理部から出力されるＲＧＢの３成分からの値が、前記所定の条件式を満足する場合は、前記色変換処理部により出力されたモノクロデータを前記γ変換手段によりγ変換して出力し、前記所定の条件式を満足しない場合は前記Ｙの演算式で得られる値を出力することを特徴とする請求項２又は３に記載の画像処理装置。
【請求項６】
前記所定の条件式は、前記ＲＧＢの３成分の夫々の多値データが、６４＜Ｒ＜１２８、６４＜Ｇ＜１２８、６４＜Ｂ＜１２８を満足することを特徴とする請求項１乃至５の何れか一項に記載の画像処理装置。
【発明の詳細な説明】
【０００１】
【発明の属する技術分野】
本発明は、画像処理装置に関し、さらに詳しくは、カラー画像からモノクロ画像に変換する変換方法に関するものである。
【０００２】
【従来の技術】
従来から、主たる情報が文字情報からなるカラー原稿では、章、節、強調箇所などを有彩色で表現する場合が多い。また、このようなカラー原稿をカラー読取装置で読み取って低階調のモノクロ出力装置にて出力する場合、従来技術におけるデータ処理では、文字や線画の画質が著しく低下してしまう。例えばＲＧＢ各８ｂｉｔ２５６階調のカラー読取装置で、カラー原稿を読み取り、１ｂｉｔ２階調のモノクロプリンタで出力する場合、おおよそ次のような流れになる。
まずＲＧＢ各２５６階調のカラー画像データを、単一成分２５６階調の濃度で表されたモノクロ画像データに変換する。カラー読取装置で読み取られたＲＧＢのデジタルデータから、たとえば、Ｙ＝２＊Ｒ＋Ｇ＋８＊Ｂの式を用いて、２５６階調のモノクロ画像データに変換するか、あるいはＹ＝ＧのＧ成分のみを変換後のモノクロデータとする場合もある。このとき、原稿のカラーの大部分は、データ変換手段によりモノクロの中間濃度に変換される。
次に、２５６階調のモノクロ画像データを、２階調の出力装置に出力するため階調変換を行う。変換された単一成分からなる２５６階調のモノクロ画像データを、２階調の出力装置で出力する場合、階調性がなるべく保存されるように、誤差拡散やディザ処理などの画像処理を用いて、２５６階調から２階調の画像データへと階調変換処理を行う。このように、カラー画像データを、階調数の少ないモノクロ出力（表示）装置で出力（表示）する場合のデータ処理の流れにおいて、文字や線画に着目した場合、原稿の文字の色が黒ならば、前記の処理においても黒に変換されるため、最終の出力結果においても、可読性のよい良好な文字出力を得ることができるが、原稿の文字に色がついている場合は、最初の変換手段によって中間濃度に変換され、さらに次の変換手段の中間濃度を低階調で表す場合、面積階調になるため、ディザパターンや誤差拡散処理によって、色文字は最終の出力結果では黒べたで埋まらず、また、文字や線画のエッジ部に凹凸ができ、シャープ性が損なわれる。特に、文字の場合は、可読性が著しく低下するという欠点がある。
【０００３】
また従来技術として特開２００１−２５１５１５公報には、像域分離等の画像領域判別手段を用いることなく、画像の特徴量に応じた適応処理を行うことにより、文字部、網点部、網点上の文字の画像品質を両立させる技術について開示されている。それによると、第１のフィルタ手段は、入力画像に対してバンド強調を行い、第２のフィルタ手段は、入力画像から高域の周波数成分を抽出する。入力画像からエッジ量を検出し、検出されたエッジ量を非線形変換する。変換後のエッジ量を基に高域成分を強調し、入力画像に加算する。選択手段は、エッジ量が所定の閾値以上のとき加算器からの出力信号を選択し、そうでないとき第１のフィルタ手段からの出力信号を選択するとしている。
また特開平８−２９４００７号公報には、文字部分に対して文字領域強調の効果を持つ処理を施しつつ、よりシンプルな構成の画像処理装置について開示されている。それによると、スキャナで読み込まれた原稿のデータは、第１の階調補正処理回路において１次関数による処理を受け、その後にエッヂ強調フィルタで処理を受ける。このエッヂ強調フィルタの出力と非文字領域適応処理回路の出力はセレクタで選ばれて出力される。このセレクタの切り換え制御は、文字領域検出回路の出力によって成されるとしている。
【特許文献１】特開２００１−２５１５１５公報
【特許文献２】特開平８−２９４００７号公報
【０００４】
【発明が解決しようとする課題】
従来技術の特許文献１、２はＲＧＢカラー画像データから輝度情報に変換する変換式に従ってカラー画像をモノクロ画像に変換するものであるが、単純に変換式に従ってモノクロ画像データに変換しただけでは上記のように色文字の可読性を低下させるという欠点があった。
本発明は、かかる課題に鑑み、色文字をモノクロに変換した際に生じる、中間調処理による文字の可読性低下を改善した画像処理装置を提供することを目的する。
【０００５】
【課題を解決するための手段】
本発明はかかる課題を解決するために、請求項１は、複数の成分からなる多階調のカラー画像データを、単一の成分からなるモノクロ画像データに変換するカラーモノクロ変換手段を有する画像処理装置において、前記カラーモノクロ変換手段は、ＲＧＢによる３ラインを有するカラー撮像素子の各ライン間の補正を行うライン間補正処理部と、ルックアップテーブルを使用して前記各ラインをγ変換するγ変換処理部と、ＭＴＦ補正及びエッジ強調のフィルタ演算を行うフィルタ処理部と、カラー画像データをモノクロに変換する色変換処理部と、所定の条件式から判定される検出結果に従って指定の特徴を持つ画素を検出する指定画素検出手段と、該指定画素検出手段の結果に基づいて、前記色変換処理部によりモノクロに変換後の画素濃度データを切り替えるデータ切替手段とを備えたことを特徴とする。
従来の技術は、カラー画像データを、階調数の少ないモノクロ出力（表示）装置で出力（表示）する場合、原稿の文字に色がついていると最初の変換手段によって中間濃度に変換され、さらに次の変換手段の中間濃度を低階調で表す場合、面積階調になるため、ディザパターンや誤差拡散処理によって、色文字は最終の出力結果では黒べたで埋まらず、また、文字や線画のエッジ部に凹凸ができ、シャープ性が損なわれる。特に、文字の場合は、可読性が著しく低下するという欠点があった。そこで本発明では、カラーモノクロ変換手段が、指定の特徴を持つ画素を検出する指定画素検出手段と、この検出手段の結果に基づいて、カラーモノクロ変換後の画素濃度を調整する濃度調整手段とを備えたことを特徴とする。
かかる発明によれば、指定画素検出手段の結果に基づいて、カラーモノクロ変換後の画素濃度を調整する濃度調整手段とを備えたことにより、色文字をモノクロに変換した際に、中間調処理によって生じる文字の可読性低下という従来技術の問題点を改善することができる。
【０００６】
請求項２は、複数の成分からなる多階調のカラー画像データを、単一の成分からなるモノクロ画像データに変換するカラーモノクロ変換手段を有する画像処理装置において、前記カラーモノクロ変換手段は、ＲＧＢによる３ラインを有するカラー撮像素子の各ライン間の補正を行うライン間補正処理部と、ルックアップテーブルを使用して前記各ラインをγ変換するγ変換処理部と、ＭＴＦ補正及びエッジ強調のフィルタ演算を行うフィルタ処理部と、カラー画像データをモノクロに変換する色変換処理部と、所定の条件式から判定される検出結果に従って指定の特徴を持つ画素を検出する指定画素検出手段と、該指定画素検出手段の結果に基づいて、前記色変換処理部によりモノクロに変換後の画素濃度データを切り替えるデータ切替手段と、前記色変換処理部の出力データをγ変換するγ変換手段とを備えたことを特徴とする。
本発明は、請求項１の発明の色変換処理部の出力データを更にγ変換するγ変換手段とを備えたことを特徴とする。
かかる発明によれば、主たる情報が文字と写真からなる原稿の場合、絵柄部のつぶれによる画質の低下を低減することができ、画質の向上が更に図ることができる。
請求項３は、前記色変換処理部は、前記フィルタ処理部から出力されるＲＧＢの３成分からモノクロデータを得る場合、該モノクロデータの値をＹとすると、Ｙ＝（２Ｒ＋５Ｇ＋Ｂ）／８の演算式により得られた値によりモノクロデータを決定することを特徴とする。
モノクロ画像を得る場合の画像データ処理部のデータの流れは、ＲＧＢのライン間の補正を行い、その信号をγ変換後、ＭＴＦ補正及びエッジ強調のフィルタ演算を行いその信号を色変換する。このときカラー読取装置でモノクロ画像を得たい場合、Ｇのデータをそのままモノクロデータとする場合や、ＲＧＢの３成分から演算式によって算出する場合などがある。ここではＲＧＢから算出する場合について、モノクロデータをＹとして簡易的な算出式としてＹ＝（２Ｒ＋５Ｇ＋Ｂ）／８を用いる。
かかる発明によれば、簡易的な算出式としてＹ＝（２Ｒ＋５Ｇ＋Ｂ）／８を用いるので、色文字をモノクロに変換した際に、中間調処理によって生じる文字の可読性低下という従来技術の問題点を改善することができる。
【０００７】
請求項４は、前記指定画素検出手段は、前記フィルタ処理部から出力されるＲＧＢの３成分からの値が、前記所定の条件式を満足する場合は前記黒データを出力し、前記所定の条件式を満足しない場合は前記Ｙの演算式で得られる値を出力することを特徴とする。
色変換処理部にてカラー画像データはモノクロに変換される。同じＲＧＢのデータを使って指定画素検出手段は同様のＲＧＢの値から所定の条件式から判定される検出結果を次段のデータ切替手段に渡す。データ切替手段は検出結果が真：１の場合、例えばＹ＝２５５（黒）として後段に渡し、偽：０の場合はＹの値をそのまま後段に渡す。
かかる発明によれば、色変換処理部にて変換されたモノクロデータの値が条件式を満足しない場合、そのまま出力され、条件式を満足する場合は黒データを出力するので、データがカラー文字の場合も文字の掠れが改善されて可読性を向上することができる。
請求項５は、前記指定画素検出手段は、前記フィルタ処理部から出力されるＲＧＢの３成分からの値が、前記所定の条件式を満足する場合は、前記色変換処理部により出力されたモノクロデータを前記γ変換手段によりγ変換して出力し、前記所定の条件式を満足しない場合は前記Ｙの演算式で得られる値を出力することを特徴とする。
色変換処理部にて、カラー画像データはモノクロに変換される。同じＲＧＢのデータを使って指定画素検出手段は同様のＲＧＢの値から所定の条件式から判定される検出結果にしたがって、条件に合致する場合は真：１、条件を満たさない場合は偽：０の信号を次段のデータ切替手段に渡す。データ切替手段は検出結果が真：１の場合、γ変換手段の変換後データＹ’を後段に渡し、偽：０の場合はＹの値をそのまま後段に渡す。
かかる発明によれば、色変換処理部にて変換されたモノクロデータの値が条件式を満足しない場合、そのまま出力され、条件式を満足する場合はγ変換して出力するので、主たる情報が文字と写真からなる原稿の場合、絵柄部のつぶれによる画質の低下を低減することができ、画質の向上が図ることができる。
請求項６は、前記所定の条件式は、前記ＲＧＢの３成分の夫々の多値データが、６４＜Ｒ＜１２８、６４＜Ｇ＜１２８、６４＜Ｂ＜１２８を満足することを特徴とする。
ＲＧＢの３成分の多値データが略中間色の場合、条件式は６４＜Ｒ＜１２８、６４＜Ｇ＜１２８、６４＜Ｂ＜１２８の値を満足する。そして本発明ではＲＧＢの３成分の多値データが中間色であっても、所定の濃度が出力されるように演算式を備えている。
かかる発明によれば、所定の条件が各色の幅広い中間色を検出する範囲に設定しているので、カラー濃度の殆どの範囲をカバーすることができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の画像読取装置の構成図である。この画像読取装置は、大きな構成としては、読取装置本体１と原稿搬送装置２と原稿読取台３が設けられており、これによって、イメージスキャナを構成している。この場合、装置本体１の内部には、キセノンランプや蛍光灯で構成される光源４ａとミラー４ｂとを備えた第１の走行体４と、ミラー５ａ、５ｂを備えた第２の走行体５と、レンズ６と、一次元の光電変換素子（本実施形態ではカラー読み取りの３ラインのＣＣＤを使用する）７と、第１、第２の走行体４、５を駆動するステッピングモータ８とからなる露光走査光学系９が設けられている。なお、この露光走査光学系９の下段の構成については説明を省略する。また、原稿搬送装置２には、ＳＤＦユニット１０と、原稿台１１とが設けられている。ＳＤＦユニット１０内にはステッピングモータ１２が備えられている。さらに、原稿読み取り台３の上部に原稿押さえ板１４が回動自在に取り付けられており、原稿１３はその原稿押さえ板１４の下にセットされる。また原稿読み取り台３の端部には、シェーディング補正用の白基準板１５が配置されている。
図２は本発明の画像読取装置の全体制御ブロック図である。同じ構成要素には同じ参照番号が付されているので、重複する説明は省略する。この画像読取装置は、光源４ａと、ＣＣＤ７と、ステッピングモータ８、１２と、全体をＲＯＭに格納したプログラムにより制御するＣＰＵ１６と、光源４ａを駆動する光源ドライバ１７と、ＣＣＤ７を駆動するＣＣＤ駆動部１８と、ＣＣＤ７の画像の各種処理を行う画像処理部１９と、ステッピングモータ８、１２を駆動するモータドライバ２０、２８と、画像処理部１９の画像を一旦蓄積するスキャンバッファ２５と、スキャンバッファ２５内のデータをネットワーク上の機器に送信する制御を行うＮＩＣコントローラ２６と、スキャンバッファ２５への画像データの入出力管理を行うバッファコントローラ２７とを備えて構成される。
【０００９】
図３は、ブックモード時の原稿読み取り部の構成図である。原稿読み取りモードとしては、図３に示すような原稿読み取り台３を用いて画像データの読み取りを行うブックモードがあり、ブックモードにおける画像データ読み取りの基本動作について述べる。同じ構成要素には同じ参照番号が付されているので、重複する説明は省略する。原稿１３を原稿押さえ板１４下の原稿読み取り台３上にセットした後、ＣＰＵ１６は光源ドライバ１７を動作させて光源４ａをオンにする。次に、ＣＣＤ駆動部１８により、駆動されるＣＣＤ７で白基準板１５を読み取り、画像処理部１９内のＡ／Ｄコンバータ（図示せず）で、アナログ−デジタル変換を行い、画換データのシェーディング補正用の基準データとして、画像処理部１９内のＲＡＭ（図示せず）に記憶する。ＣＰＵ１６は、モータドライバ（駆動装置）２０をドライブして、ステッピングモータ８を動作させ、これにより、第１の走行体４は原稿１３のある方向へ移動する。第１の走行体４が原稿面を一定速度で走査することにより、その原稿１３の画像データがＣＣＤ７により光電変換される。
図４はＳＤＦモード時の原稿読み取り部の構成図である。次に、図４に示すようなＳＤＦモードにおける画像データ読み取りの基本動作について述べる。同じ構成要素には同じ参照番号が付されているので、重複する説明は省略する。この場合にも、まず、白基準板１５が読み込まれた後、ステッピングモータ１２をＣＰＵ１６がモータドライバ（駆動装置）２８でドライブすることにより、原稿台１１にセットされた原稿１３を、分離ローラ２９、搬送ローラ３０で搬送していき、第１の走行体４の所定の読み取り位置まで搬送する。このとき、原稿１３は一定速度で搬送されていき、第１の走行体４は、停止したままで原稿面の画像データをＣＣＤ７で読み取る。以下、ブックモードと同様の処理を行い、２値化あるいは多値の画像データは、スキャンバッファ２５に記憶され、ＮＩＣコントローラ２６を介してネットワーク上の機器に送られる。
【００１０】
図５は、図２に示す画像処理部１９の最も基本的な構成を示すブロック図である。この画像処理部１９は、ビデオ信号をデジタル変換するアナログビデオ処理部２１と、その信号のシェーディング補正を行うシェーディング補正処理部２２と、各種の画像データ処理を行う画像データ処理部２３と、データを２値化する２値化処理部２４とを備えて構成される。
光電変換されたアナログビデオ信号ａは、アナログビデオ処理部２１でデジタル変換の処理まで行われた後、シェーディング補正処理部２２、画像データ処理部２３により、それぞれシェーディング補正と各種の画像データ処理を行った後、必要とする画像の場合分けにしたがって下記のように処理される。つまり、モノクロ２値画像を所望とする場合は、２値化処理部２４により２値化データｂを作成し後段に送る。モノクロ多値画像を所望とする場合は、２値化処理部２４による２値化処理は行わずに、そのままの８ｂｉｔデータを後段に送る。カラー多値画像を所望する場合は、２値化処理部２４による２値化処理は行わずに、そのまま各成分（Ｒ：８ｂｉｔ、Ｇ：８ｂｉｔ、Ｂ：８ｂｉｔの２４ｂｉｔ）のデータを後段に送る。その後、その２値化データ、あるいは多値データ、あるいは、カラーデータｂをスキャンバッファ２５に順次記憶していく。またＮＩＣコントローラ２６は、スキャンバッファ２５内のデータを、ネットワーク上の機器等の装置、たとえばホストコンピュータ（図示せず）に送信する制御を行う。バッファコントローラ２７は、スキャンバッファ２５への画像データの入出力管理を行う。またアナログビデオ処理部２１は、プリアンプ回路３１と、可変増幅回路３２を備えている。また、シェーディング補正処理部２２は、Ａ／Ｄコンバータ３３、黒演算回路３４、シェーディング補正演算回路３５、ラインバッファ３６を備えている。３ラインＣＣＤを用いたカラー読取装置においては、図５の構成の処理が、ＲＧＢ各成分に対して１つ必要で計３つある。
【００１１】
図６は、図５に示す画像処理部１９の一部を、さらに詳細に示すブロック図である。光源４ａで原稿読み取り台３上にある原稿１３を照射した反射光を、シェーディング調整板３７を通して、レンズ６によって集光し、ＣＣＤ７に結像する。なお、図６では、説明簡単化のために、反射光を折り返すためのミラーは省略している。シェーディング調整板３７は、ＣＣＤ７の中央部と端部での反射光量の差を無くすための光量調整の役割を果たす。これは、シェーディング演算処理において、あまりにＣＣＤ中央部と端部で反射光量の差が有りすぎると、多分に歪を含んだ演算結果しか得られないために、予め反射光量の差を無くした後にシェーディング演算処理を行うためのものである。
図７はシェーディング補正後にある画像データ処理部２３のデータの流れを示す図である。画像データ処理部２３は、ＲＧＢによる３ラインを有するカラー撮像素子の各ライン間の補正を行うライン間補正処理部３７と、ルックアップテーブルを使用して前記各ラインをγ変換するγ変換処理部３８と、ＭＴＦ補正及びエッジ強調のフィルタ演算を行うフィルタ処理部３９と、カラー画像データをモノクロに変換する色変換処理部４０とを備えて構成される。
３ラインＣＣＤはＲＧＢそれぞれのセンサの取付位置が異なるために、原稿の読み取り位置もＲ、Ｇ、Ｂで異なるため、これを同一になるような処理をライン間補正では行っている。たとえば、Ｂを基準としてＲが６ライン、Ｇが３ライン分の位置が異なる場合、これを同一の原稿位置になるように、ライン位置を合わせる機能をライン間補正が果たす。γ変換処理ではＬＵＴを使用して、１対１で変換して出力する。フィルタ処理ではＭＴＦ補正やエッジ強調などのフィルタ演算を行うところである。色変換処理部４０では、カラー画像の場合ＲＧＢのデータから３Ｄ−ＬＵＴを使用して色変換処理を行う。
【００１２】
図８はモノクロ画像を得る場合の画像データ処理部２３のデータの流れを示す図である。カラー読取装置でモノクロ画像を得たい場合、Ｇのデータをそのままモノクロデータとする場合や、ＲＧＢの３成分から演算式によって算出する場合などがある。ここではＲＧＢから算出する場合で説明する。モノクロデータをＹとし、簡易的な算出式として
Ｙ＝（２Ｒ＋５Ｇ＋Ｂ）／８・・・・（１）
を用いる。
図９は本発明の第１と第２の実施形態に係る画像処理装置の画像データ処理部の構成図である。この画像データ処理部２３は、ＲＧＢによる３ラインを有するカラー撮像素子の各ライン間の補正を行うライン間補正処理部４４と、ルックアップテーブルを使用して前記各ラインをγ変換するγ変換処理部４３と、ＭＴＦ補正及びエッジ強調のフィルタ演算を行うフィルタ処理部４２と、カラー画像データをモノクロに変換する色変換処理部４１と、所定の条件式から判定される検出結果に従って指定の特徴を持つ画素を検出する指定画素検出手段４５と、この指定画素検出手段４５の結果に基づいて、色変換処理部４１によりモノクロに変換後の画素濃度データを切り替えるデータ切替手段４６とを備えて構成される。
前記色変換処理部４１にて、カラー画像データはモノクロに変換される。同じＲＧＢのデータを使って指定画素検出手段４５は同様のＲＧＢの値から下記（２）式で示される条件式から判定される検出結果にしたがって、条件に合致する場合は真：１、条件を満たさない場合は偽：０の信号を次段のデータ切替手段４６に渡す。データ切替手段４６は検出結果が真：１の場合、Ｙ＝２５５として後段に渡し、偽：０の場合は前記（１）式で演算されるＹの値をそのまま後段に渡す（データの解釈は黒（暗）：２５５、白（明）：０とする）。
条件式：ＲＬ＜Ｒ＜ＲＨ、ＧＬ＜Ｇ＜ＧＨ、ＢＬ＜Ｂ＜ＢＨ・・（２）
（但し、ＲＬ＝６４、ＲＨ＝１２８、ＧＬ＝６４、ＧＨ＝１２８、ＢＬ＝６４、ＢＨ＝１とする）
【００１３】
図１０は本発明の第３の実施形態に係る画像処理装置の画像データ処理部の構成図である。この画像データ処理部２３は、ＲＧＢによる３ラインを有するカラー撮像素子の各ライン間の補正を行うライン間補正処理部４４と、ルックアップテーブルを使用して前記各ラインをγ変換するγ変換処理部４３と、ＭＴＦ補正及びエッジ強調のフィルタ演算を行うフィルタ処理部４２と、カラー画像データをモノクロに変換する色変換処理部４１と、所定の条件式から判定される検出結果に従って指定の特徴を持つ画素を検出する指定画素検出手段４５と、この指定画素検出手段４５の結果に基づいて、前記色変換処理部４１によりモノクロに変換後の画素濃度データを切り替えるデータ切替手段４６と、前記色変換処理部４１の出力データをγ変換するγ変換手段４７とを備えて構成される。
前記色変換処理部４１にて、カラー画像データはモノクロに変換される。同じＲＧＢのデータを使って指定画素検出手段４５は同様のＲＧＢの値から前記（２）式で示される条件式から判定される検出結果にしたがって、条件に合致する場合は真：１、条件を満たさない場合は偽：０の信号を次段のデータ切替手段４６に渡す。データ切替手段４６は検出結果が真：１の場合、γ変換手段４７の変換後データＹ’を後段に渡し、偽：０の場合は前記（１）式により演算されたＹの値をそのまま後段に渡す。（データの解釈は黒（暗）：２５５、白（明）：０とする）。
尚、γ変換処理にセットするテーブルデータは、図１１のような文字内部の抜けがあまり生じないようにγ変換テーブルデータにセットする。
【００１４】
【発明の効果】
以上記載のごとく請求項１の発明によれば、指定画素検出手段の結果に基づいて、カラーモノクロ変換後の画素濃度を調整する濃度調整手段とを備えたことにより、色文字をモノクロに変換した際に、中間調処理によって生じる文字の可読性低下という従来技術の問題点を改善することができる。
また請求項２では、主たる情報が文字と写真からなる原稿の場合、絵柄部のつぶれによる画質の低下を低減することができ、画質の向上が更に図ることができる。
また請求項３では、簡易的な算出式としてＹ＝（２Ｒ＋５Ｇ＋Ｂ）／８を用いるので、色文字をモノクロに変換した際に、中間調処理によって生じる文字の可読性低下という従来技術の問題点を改善することができる。
また請求項４では、色変換処理部にて変換されたモノクロデータの値が条件式を満足しない場合、そのまま出力され、条件式を満足する場合は黒データを出力するので、データがカラー文字の場合も文字の掠れが改善されて可読性を向上することができる。
また請求項５では、色変換処理部にて変換されたモノクロデータの値が条件式を満足しない場合、そのまま出力され、条件式を満足する場合はγ変換して出力するので、主たる情報が文字と写真からなる原稿の場合、絵柄部のつぶれによる画質の低下を低減することができ、画質の向上が図ることができる。
また請求項６では、所定の条件が各色の幅広い中間色を検出する範囲に設定しているので、カラー濃度の殆どの範囲をカバーすることができる。
【図面の簡単な説明】
【図１】本発明の画像読取装置の構成図である。
【図２】本発明の画像読取装置の全体制御ブロック図である。
【図３】本発明のブックモード時の原稿読み取り部の構成図である。
【図４】本発明のＳＤＦモード時の原稿読み取り部の構成図である。
【図５】本発明の図２に示す画像処理部１９の最も基本的な構成を示すブロック図である。
【図６】本発明の図５に示す画像処理部１９の一部を、さらに詳細に示すブロック図である。
【図７】本発明のシェーディング補正後にある画像データ処理部２３のデータの流れを示す図である。
【図８】本発明のモノクロ画像を得る場合の画像データ処理部２３のデータの流れを示す図である。
【図９】本発明の第１と第２の実施形態に係る画像処理装置の画像データ処理部の構成図である。
【図１０】本発明の第３の実施形態に係る画像処理装置の画像データ処理部の構成図である。
【図１１】本発明のγ変換テーブルデータを示す図である。
【符号の説明】
１９  画像処理部、２１  アナログビデオ処理部、２２  シェーディング補正処理部、２３  画像データ処理部、２４  ２値化処理部
【図１】
2004266574.tif 000003
【図２】
2004266574.tif 000004
【図３】
2004266574.tif 000005
【図４】
2004266574.tif 000006
【図５】
2004266574.tif 000007
【図６】
2004266574.tif 000008
【図７】
2004266574.tif 000009
【図８】
2004266574.tif 000010
【図９】
2004266574.tif 000011
【図１０】
2004266574.tif 000012
【図１１】
2004266574.tif 000013